(57)【要約】      （修正有）【課題】簡易な構造により、簡単に係合することを可能とし、操作性に優れたバックルを提供する。【解決手段】バックル１は、雄状係合体２と雌状係合体３とにより構成され、雄状係合体２の左側の基端部にはベルト２Ａが掛着され、一方雌状係合体３の右側の基端部にはベルト３Ａが掛着される。このため、雄状係合体２の基端部には、ベルト２Ａを掛着するための掛着部４が備えられ、また雌状係合体３の基端部には、ベルト３Ａを掛着するための掛着部５が備えられる。【選択図】図１
0003190366.tif 000002
【実用新案登録請求の範囲】
【請求項１】
雌状係合体に挿入・係合され、雌状係合体に挿入される先端面、上下各面と左右各面をそれぞれ備えてなる全体角柱状の係合凸部を有してなる雄状係合体と、
一面に上記雄状係合体の係合凸部を挿入するための全体略門形状の開口を備え、該開口部から挿入される係合凸部のうち、その上面と対向する上面部、左側面と対向する左側面部、右側面と対向する右側面部、さらに先端面と対向して衝合する奥行面部をそれぞれ備え、上面部、左側面部、右側面部、奥行面部により囲繞された空間を画成してなる全体方形状の函状体からなる雌状係合体と、
からなるバックルにおいて、
上記雄状係合体は、角柱状のからなる雄状係合体の係合凸部の先端部における左右各側面位置には、上下長手方向に沿って、雌状係合体の左右各側面部に向けて張り出すように外方に突出形成され、最先端部から後端部側へと拡開するテーパ面を備えてなる係合突条を備えることとし、さらに雌状係合体の開口部に挿入される係合凸部の先端面には吸着用のマグネット部材を配設することとし、
一方、全体方形状の函状体からなる上記雌状係合体は、開口部から挿入される雄状係合体の係合凸部を、その左右位置から挟むようにして左側面部に左係合片を右側面部に右係合片を配置して形成し、左係合片と右係合片は、それぞれ雄状係合体の係合凸部が開口部から挿入される状態において、係合凸部の先端部の係合突条と衝合して外側に拡開し、さらに挿入される係合凸部の先端面が雌状係合体内の奥行面部と衝合する状態において、左右各側面部に向けて張り出すように外方に突出形成される係合突条のテーパ面を乗り越えて該係合突条と噛み合うようにし、開口部の内方へと突出形成され、係合突条に対応して上下方向に延設される係合爪が備えられ、雌状係合体の奥行面部には、挿入される係合凸部の先端面が雌状係合体内の奥行面部と衝合する状態において、係合凸部の先端面に配設される吸着用のマグネット部材に吸着され、係合凸部の先端面と雌状係合体の奥行面部との衝合状態を保持可能とする被吸着用のマグネット部材を配設することとして雄状係合体の雌状係合体に対する係合を行うこととし、
雌状係合体に対する雄状係合体の係合の解除を、全体方形状の函状体からなる雌状係合体のうち、囲繞空間下方の下面側より雄状係合体を雌状係合体から離脱させるべく、雌状係合体の奥行面部に配設される被吸着用のマグネット部材から係合凸部の先端面に配設される吸着用のマグネット部材を離隔するように雄状係合体を下方にスライドさせ、左係合片と右係合片の各係合爪に対してそれぞれ係合し、噛み合い状態にある係合突条を対応する係合爪から離脱させて行うことを可能としたことを特徴としてなるバックル。
【請求項２】
雌状係合体と雄状係合体のそれぞれには、連結するベルトの掛着部が備えられる請求項１に記載のバックル。
【請求項３】
雌状係合体と雄状係合体のそれぞれは、合成樹脂材により形成し、雌状係合体に配設される被吸着用のマグネット部材と、雄状係合体に配設される吸着用のマグネット部材は、それぞれ合成樹脂材に嵌め込み、あるいは内蔵させるようにして配設するようにした請求項１に記載のバックル。
【考案の詳細な説明】
【技術分野】
【０００１】
本考案は、例えばカバン、デイバッグ、ショルダーバッグなどにおいて、ベルト同士の連結の際に利用されるバックルに関する。
【背景技術】
【０００２】
カバン、デイバッグ、ショルダーバッグなどにおいて、ベルト同士の連結にバックルが用いられる。多くのバックルは、下記特許文献１に示すように連結を行う一方のベルトが掛着された雌状係合体と、同じく連結を行う他方のベルトが掛着された雄状係合体により構成され、雄状係合体を雌状係合体に対して係合することにより、両ベルトの結合を行い、結合の解除は雌状係合体に対する雄状係合体の係合を解除して行うようにしていた。
【先行技術文献】
【特許文献】
【０００３】
【特許文献１】特開平１０−２１１００５号公報
【考案の開示】
【考案が解決しようとする課題】
【０００４】
ところで本願の考案者においては、上記バックルに代え、雌状係合体に対する雄状係合体の係合を簡単に行うことを可能とするため、雌状係合体と雄状係合体のそれぞれにマグネット部材を配設することとし、また雌状係合体に対する雄状係合体の係合解除を誰もが思いつかない機構のものを開発すべく試行錯誤を行っていたところ、操作性に優れた本考案に係るバックルを考案したところである。
【０００５】
すなわち、本考案は、簡易な構造により、簡単に係合することを可能とし、操作性に優れたバックルの提供を目的にしたものである。
【課題を解決するための手段】
【０００６】
上記目的を達成するため、本考案の請求項１のバックルは、雌状係合体に挿入・係合され、雌状係合体に挿入される先端面、上下各面と左右各面をそれぞれ備えてなる全体角柱状の係合凸部を有してなる雄状係合体と、一面に上記雄状係合体の係合凸部を挿入するための全体略門形状の開口を備え、該開口部から挿入される係合凸部のうち、その上面と対向する上面部、左側面と対向する左側面部、右側面と対向する右側面部、さらに先端面と対向して衝合する奥行面部をそれぞれ備え、上面部、左側面部、右側面部、奥行面部により囲繞された空間を画成してなる全体方形状の函状体からなる雌状係合体と、からなるバックルにおいて、上記雄状係合体は、角柱状のからなる雄状係合体の係合凸部の先端部における左右各側面位置には、上下長手方向に沿って、雌状係合体の左右各側面部に向けて張り出すように外方に突出形成され、最先端部から後端部側へと拡開するテーパ面を備えてなる係合突条を備えることとし、さらに雌状係合体の開口部に挿入される係合凸部の先端面には吸着用のマグネット部材を配設することとし、一方、全体方形状の函状体からなる上記雌状係合体は、開口部から挿入される雄状係合体の係合凸部を、その左右位置から挟むようにして左側面部に左係合片を右側面部に右係合片を配置して形成し、左係合片と右係合片は、それぞれ雄状係合体の係合凸部が開口部から挿入される状態において、係合凸部の先端部の係合突条と衝合して外側に拡開し、さらに挿入される係合凸部の先端面が雌状係合体内の奥行面部と衝合する状態において、左右各側面部に向けて張り出すように外方に突出形成される係合突条のテーパ面を乗り越えて該係合突条と噛み合うようにし、開口部の内方へと突出形成され、係合突条に対応して上下方向に延設される係合爪が備えられ、雌状係合体の奥行面部には、挿入される係合凸部の先端面が雌状係合体内の奥行面部と衝合する状態において、係合凸部の先端面に配設される吸着用のマグネット部材に吸着され、係合凸部の先端面と雌状係合体の奥行面部との衝合状態を保持可能とする被吸着用のマグネット部材を配設することとして雄状係合体の雌状係合体に対する係合を行うこととし、雌状係合体に対する雄状係合体の係合の解除を、全体方形状の函状体からなる雌状係合体のうち、囲繞空間下方の下面側より雄状係合体を雌状係合体から離脱させるべく、雌状係合体の奥行面部に配設される被吸着用のマグネット部材から係合凸部の先端面に配設される吸着用のマグネット部材を離隔するように雄状係合体を下方にスライドさせ、左係合片と右係合片の各係合爪に対してそれぞれ係合し、噛み合い状態にある係合突条を対応する係合爪から離脱させて行うこととしたものである。
【０００７】
また請求項２に係るバックルは、雌状係合体と雄状係合体のそれぞれに、連結するベルトの掛着部が備えられるようにしたものである。
【０００８】
また請求項３に係るバックルは、雌状係合体と雄状係合体のそれぞれを、合成樹脂材により形成し、雌状係合体に配設される被吸着用のマグネット部材と、雄状係合体に配設される吸着用のマグネット部材は、それぞれ合成樹脂材に嵌め込み、あるいは内蔵させるようにして配設するようにしたものである。
【考案の効果】
【０００９】
本考案に係るバックルによれば、雄状係合体は、角柱状のからなる雄状係合体の係合凸部の先端部における左右各側面位置には、上下長手方向に沿って、雌状係合体の左右各側面部に向けて張り出すように外方に突出形成され、最先端部から後端部側へと拡開するテーパ面を備えてなる係合突条を備えることとし、さらに雌状係合体の開口部に挿入される係合凸部の先端面には吸着用のマグネット部材を配設することとし、一方、全体方形状の函状体からなる上記雌状係合体は、開口部から挿入される雄状係合体の係合凸部を、その左右位置から挟むようにして左側面部に左係合片を右側面部に右係合片を配置して形成し、左係合片と右係合片は、それぞれ雄状係合体の係合凸部が開口部から挿入される状態において、係合凸部の先端部の係合突条と衝合して外側に拡開し、さらに挿入される係合凸部の先端面が雌状係合体内の奥行面部と衝合する状態において、左右各側面部に向けて張り出すように外方に突出形成される係合突条のテーパ面を乗り越えて該係合突条と噛み合うようにし、開口部の内方へと突出形成され、係合突条に対応して上下方向に延設される係合爪が備えられ、雌状係合体の奥行面部には、挿入される係合凸部の先端面が雌状係合体内の奥行面部と衝合する状態において、係合凸部の先端面に配設される吸着用のマグネット部材に吸着され、係合凸部の先端面と雌状係合体の奥行面部との衝合状態を保持可能とする被吸着用のマグネット部材を配設することとして雄状係合体の雌状係合体に対する係合を行うことが可能となる。また、雌状係合体に対する雄状係合体の係合の解除は、全体方形状の函状体からなる雌状係合体のうち、囲繞空間下方の下面側より雄状係合体を雌状係合体から離脱させるべく、雌状係合体の奥行面部に配設される被吸着用のマグネット部材から係合凸部の先端面に配設される吸着用のマグネット部材を離隔するように雄状係合体を下方にスライドさせ、左係合片と右係合片の各係合爪に対してそれぞれ係合し、噛み合い状態にある係合突条を対応する係合爪から離脱させて行うことが可能となり、簡易な構造により、簡単に係合することを可能とし、操作性に優れたバックルの提供することが可能となる。
【図面の簡単な説明】
【００１０】
【図１】本考案の実施形態に係るバックルの雄状係合体と雌状係合体の係合状態を示す正面図である。
【図２】バックルの雄状係合体と雌状係合体の係合解除状態を示す正面図である。
【図３】（Ａ）は雄状係合体の図２III方向より観た平面図、（Ｂ）は雄状係合体の図２ＢI−ＢI線に沿う断面図である。
【図４】（Ａ）は雌状係合体の図２III方向より観た平面図、（Ｂ）は雌状係合体の図２ＢII−ＢII線に沿う断面図である。
【図５】図１のV−V線に沿い、雄状係合体と雌状係合体の係合状態を示す拡大断面図である。
【図６】雄状係合体を上方より観た拡大斜視図である。
【図７】雌状係合体を下方より観た拡大斜視図である。
【考案を実施するための形態】
【００１１】
以下、本考案の実施形態を図１ないし図７に基づいて説明する。実施形態に係るバックル１は、図２に示すように雄状係合体２と雌状係合体３とにより構成され、雄状係合体２の図中左側の基端部にはベルト２Ａが掛着され、一方雌状係合体３の図中右側の基端部にはベルト３Ａが掛着される。このため、雄状係合体２の基端部には、ベルト２Ａを掛着するための掛着部４が備えられ、また雌状係合体３の基端部には、ベルト３Ａを掛着するための掛着部５が備えられる。すなわち、バックル１は、ベルト２Ａとベルト３Ａ同士を、それぞれに対応して掛着される雄状係合体２と雌状係合体３とにより連結するためのものとされる。
【００１２】
バックル１は、雌状係合体３と雄状係合体２のそれぞれを、合成樹脂材により形成してなり、このうち、雄状係合体２は上方から観た状態において図６に示す立体形状をしてなる。また、雌状係合体３は下方から観た状態において図６に示す立体形状をしてなる。
【００１３】
雄状係合体２と雌状係合体３とは、図１に示すように先端部同士を矢印Ｆ方向に相互に突き合わせる状態で係合され、また係合を解除する場合は、図１に示す係合状態から雌状係合体３を矢印Ａに示すように上方に、一方雄状係合体２を矢印Ｂに示すように下方にスライドさせ、雄状係合体２と雌状係合体３を相互に離隔させて行うように構成している。
【００１４】
先端部同士を矢印Ｆ方向に相互に突き合わせる状態で係合される雄状係合体２と雌状係合体３のうち、雄状係合体２は図６に示すようにベルト２Ａを掛着するための掛着部４を備えた基端部に対し、先端を図中右側に突出してなる係合凸部６を備える。この係合凸部６は、先端面６Ａ、上面６Ｂ、下面６Ｃ、左側面６Ｄ，右側面６Ｅのそれぞれ備えてなる全体角柱状の外形を有してなる。このうち下面６Ｃの部分には、左右に張り出す張出部７が備えられる。
【００１５】
一方、雌状係合体３は図７に示すようにベルト３Ａを掛着するための掛着部５を備えた基端部に対し、先端を図中左側に開口してなる全体方形状の函状体からなる。すなわち、雌状係合体３は、図６に示すようにして形成される雄状係合体２の係合凸部６を、矢印Ｆ方向（図１，図６参照）に挿入して係合する全体略門形状の開口を一面に備えるものとされる。この雄状係合体２の係合凸部６を挿入する全体略門形状の開口を有してなる開口部８は、挿入される雄状係合体２の係合凸部６のうち、その上面６Ｂと対向する上面部８Ｂ、左側面６Ｄと対向する左側面部８Ｄ、右側面６Ｅと対向する右側面部８Ｅ、さらに先端面６Ａと対向して衝合する奥行面部８Ａをそれぞれ備え、上面部８Ｂ、左側面部８Ｄ、右側面部８Ｅ、奥行面部８Ａにより囲繞された空間を画成してなり、この結果、雌状係合体３は、全体方形状の函状体を構成することとなる。なお、開口部８において下面側は開口される。
【００１６】
こうして全体方形状の函状体からなる雌状係合体３の開口部８に挿入・係合される上記雄状係合体２は、角柱状からなる係合凸部６の先端部における左右各側面位置（６Ｄ、６Ｅの先端隅部位置）に、上下長手方向に沿って、係合する雌状係合体の左右各側面部（左側面部８Ｄ、右側面部８Ｅ）に向けて張り出すように外方に突出形成され、最先端部から後端部側へと拡開するテーパ面９Ａを備えてなる係合突条９を備えるようにしている（図５，図６参照）。
【００１７】
さらに雌状係合体３の開口部８に挿入される雄状係合体２の係合凸部６の先端面６Ａ位置には、全体合成樹脂材により形成される雄状係合体２に嵌め込むようにして吸着用のマグネット部材１０が配設される。
【００１８】
一方、全体方形状の函状体からなる上記雌状係合体３は、開口部８から挿入される雄状係合体２の係合凸部６を、その左右位置から挟むようにして左側面部８Ｄに左係合片１１を、右側面部８Ｅに右係合片１２を配置して形成してなる（図７参照）。左係合片１１と右係合片１２のそれぞれは、雌状係合体３の先端部側を基端として雌状係合体３に一体に支持され全体可撓性を有する。左係合片１１と右係合片１２のそれぞれは、雄状係合体２の係合凸部６が開口部８から矢印Ｆ方向（図７参照）に挿入される状態において、係合凸部６の先端部の係合突条９と衝合して外側に矢印θ方向に拡開可能とされる（図７参照）。
【００１９】
すなわち、左係合片１１と右係合片１２のそれぞれには、雌状係合体３の基端部側において上下方向に延設される係合爪１３が備えられ（図７参照）、雄状係合体２の係合凸部６が開口部８から矢印Ｆ方向（図７参照）に挿入される状態において、各左係合片１１、右係合片１２の係合爪１３が係合凸部６の先端部の係合突条９と衝合して外側に矢印θ方向に拡開可能とされる（図７参照）。このため、係合爪１３は開口部８の内方へと突出形成され、挿入される雄状係合体２の係合凸部６の先端の係合突条９に対応して上下方向に延設されるようにして形成される。
【００２０】
こうして雌状係合体３に対して雄状係合体２係合凸部６が挿入され、先端面６Ａが雌状係合体３の開口部８内の奥行面部８Ａと衝合する位置まで係合凸部６が挿入されると、左係合片１１と右係合片１２の各係合爪１３は、左右各側面部（左側面部８Ｄ、右側面部８Ｅ）に向けて張り出すように外方に突出形成される係合突条９のテーパ面９Ａを乗り越え、該係合突条９と噛み合うこととなる（図１，図５参照）。
【００２１】
さらに雌状係合体３の開口部８内の奥行面部８Ａ位置には、全体合成樹脂材により形成される雌状係合体３に嵌め込むようにして被吸着用のマグネット部材１４が配設される。被吸着用のマグネット部材１４は、開口部８内に雄状係合体２の係合凸部６が挿入され、先端面６Ａが奥行面部８Ａと衝合する状態において、係合凸部６の先端面６Ａに配設される吸着用のマグネット部材１０に吸着され、係合凸部６の先端面と雌状係合体３の奥行面部８Ａとの衝合状態を保持可能とするようにしている。
【００２２】
こうして左係合片１１と右係合片１２の各係合爪１３が対応する係合突条９と噛み合い、さらに被吸着用のマグネット部材１４が吸着用のマグネット部材１０に吸着することで、係合凸部６の先端面と雌状係合体３の奥行面部８Ａとの衝合する雌状係合体３と雄状係合体２が係合されバックル１の係合状態を保持することが可能となる。ここで雄状係合体２の係合凸部６は、その下面６Ｃにおいて左右に張り出す張出部７が備えられ、この部分と函状体をなす雌状係合体３の下端位置が衝合し、雌状係合体３に対する雄状係合体２の係合・位置決めが確実に行われることとなる。
【００２３】
雌状係合体３に対する雄状係合体２の係合解除は、全体方形状の函状体からなる雌状係合体３のうち、囲繞空間下方の下面側（開口部８の下面側）より雄状係合体２を雌状係合体３から離脱して行うようにする。すなわち、雌状係合体３に対する雄状係合体２の係合解除は、図１に示す係合状態から雌状係合体３を矢印Ａに示すように上方に、一方雄状係合体２を矢印Ｂに示すように下方にスライドさせ、雄状係合体２と雌状係合体３を相互に離隔して行うようにする。この際、雌状係合体３の奥行面部８Ａに配設される被吸着用のマグネット部材１４から係合凸部６の先端面６Ａに配設される吸着用のマグネット部材１０を離隔するように雄状係合体２を下方にスライドさせ、左係合片１１と右係合片１２の各係合爪１３に対してそれぞれ係合し、噛み合い状態にある係合突条９を対応する係合爪１３から離脱させて両係合体２，３の係合解除が行われることとなる。
【００２４】
上記実施形態に係るバックル１によれば、雄状係合体２は、角柱状のからなる雄状係合体２の係合凸部６の先端部における左右各側面位置には、上下長手方向に沿って、雌状係合体３の左右各側面部８Ｄ、８Ｅに向けて張り出すように外方に突出形成され、最先端部から後端部側へと拡開するテーパ面９Ａを備えてなる係合突条９を備えることとし、さらに雌状係合体３の開口部８に挿入される係合凸部６の先端面６Ａには吸着用のマグネット部材１０を配設することとし、一方、全体方形状の函状体からなる上記雌状係合体３は、開口部８から挿入される雄状係合体２の係合凸部６を、その左右位置から挟むようにして左側面部８Ｄに左係合片１１を、右側面部８Ｅに右係合片１２を配置して形成し、左係合片１１と右係合片１２は、それぞれ雄状係合体２の係合凸部６が開口部８から挿入される状態において、係合凸部６の先端部の係合突条９と衝合して外側に拡開し、さらに挿入される係合凸部６の先端面が雌状係合体３内の奥行面部８Ａと衝合する状態において、左右各側面部８Ｄ、８Ｅに向けて張り出すように外方に突出形成される係合突条９のテーパ面９Ａを乗り越えて該係合突条９と噛み合うようにし、開口部８の内方へと突出形成され、係合突条９に対応して上下方向に延設される係合爪１３が備えられ、雌状係合体３の奥行面部８Ａには、挿入される係合凸部６の先端面６Ａが雌状係合体３内の奥行面部８Ａと衝合する状態において、係合凸部６の先端面６Ａに配設される吸着用のマグネット部材１０に吸着され、係合凸部６の先端面６Ａと雌状係合体３の奥行面部８Ａとの衝合状態を保持可能とする被吸着用のマグネット部材１４を配設することとして雄状係合体２の雌状係合体３に対する係合を行うことが可能となる。また、雌状係合体３に対する雄状係合体２の係合の解除は、全体方形状の函状体からなる雌状係合体３のうち、囲繞空間下方の下面側より雄状係合体２を雌状係合体３から離脱させるべく、雌状係合体３の奥行面部８Ａに配設される被吸着用のマグネット部材１４から係合凸部６の先端面６Ａに配設される吸着用のマグネット部材１０を離隔するように雄状係合体２を下方にスライドさせ、左係合片１１と右係合片１２の各係合爪１３に対してそれぞれ係合し、噛み合い状態にある係合突条９を対応する係合爪１３から離脱させて行うことが可能となり、簡易な構造により、簡単に係合することを可能とし、操作性に優れたバックルの提供することが可能となる。
【００２５】
なお、上記実施形態においては、吸着用のマグネット部材１０を合成樹脂製の雄状係合体２に嵌め込むようにし、また被吸着用のマグネット部材１４を同じく合成樹脂製の雌状係合体３に嵌め込むようにしているが、吸着用のマグネット部材１０を合成樹脂製の雌状係合体２に内蔵したり、また被吸着用のマグネット部材１４を合成樹脂製の雌状係合体３に内蔵させて配設することも可能とされる。
【産業上の利用可能性】
【００２６】
本考案は、カバン、デイバッグ、ショルダーバッグなどにおいて、ベルト同士の連結の際に利用することが期待できる。
【符号の説明】
【００２７】
１          バックル
２          雄状係合体
３          雌状係合体
２Ａ，３Ａ  ベルト
４，５          掛着部
６          係合凸部
７          張出部
８          開口部
８Ａ        奥行面部
８Ｂ        上面部
８Ｄ        左側面部
８Ｅ        右側面部
９          係合突条
９Ａ        テーパ面９Ａ
１０，１４  マグネット部材
１１        左係合片
１２        右係合片
１３        係合爪
【図１】
0003190366.tif 000003
【図２】
0003190366.tif 000004
【図３】
0003190366.tif 000005
【図４】
0003190366.tif 000006
【図５】
0003190366.tif 000007
【図６】
0003190366.tif 000008
【図７】
0003190366.tif 000009